(57)【要約】【課題】光が上方に向かうのを抑えやすい光源ユニット及び照明器具を提供する。【解決手段】光源ユニット１０は、ＬＥＤ２１を有する実装基板２０と、反射板６１と、実装基板２０及び反射板６１が取り付けられる取付部材３と、を備える。取付部材３の中心を通る一軸線の長手方向の一方を前方Ｆとすると共に他方を後方Ｂとし、前後方向と直交する方向の一方を上方Ｕとすると共に他方を下方Ｄとし、前後方向及び上下方向と直交する方向を左右方向とする。取付部材３の前面に、実装基板２０が取り付けられる。反射板６１は、ＬＥＤ２１を起点として前方Ｆよりも上方Ｕ側の領域に配置される、左右方向から見て下方を向く凹面からなる上反射面６２を有する。ＬＥＤ２１の光軸の向き２３が前方に対して下方に傾いている。【選択図】図８
2020057477.tif 000002
【特許請求の範囲】
【請求項１】
固体発光素子を有する実装基板と、
反射板と、
前記実装基板及び前記反射板が取り付けられる取付部材と、を備え、
前記取付部材の中心を通る一軸線の長手方向の一方を前方とすると共に他方を後方とし、前後方向と直交する方向の一方を上方とすると共に他方を下方とし、前後方向及び上下方向と直交する方向を左右方向とし、
前記取付部材の前面側に、前記実装基板が取り付けられ、
前記反射板は、前記固体発光素子を起点として前方よりも上方側の領域に配置される、左右方向から見て下方を向く凹面からなる上反射面を有し、
前記固体発光素子の光軸の向きが前方に対して下方に傾いている
光源ユニット。
【請求項２】
前記反射板は、前記複数の固体発光素子毎に、前記固体発光素子を起点として前方よりも下方側の領域に配置される、前後方向から見て上方を向く凹面からなる下反射面を有する
請求項１に記載の光源ユニット。
【請求項３】
前記反射板は、隣接する前記固体発光素子の間に仕切壁を有する
請求項２に記載の光源ユニット。
【請求項４】
前記仕切壁は、前記下反射面とつながっている
請求項３に記載の光源ユニット。
【請求項５】
前記仕切壁の左右方向における側面は、前記下反射面となる凹面と滑らかにつながる凹面を有する
請求項４に記載の光源ユニット。
【請求項６】
前記光軸の向きが前方に対して傾く角度は、３０度以上６０度以下である
請求項１〜５のいずれか一項に記載の光源ユニット。
【請求項７】
前記上反射面は鏡面である
請求項１〜６のいずれか一項に記載の光源ユニット。
【請求項８】
請求項１〜７のいずれかに記載の光源ユニットと、前記光源ユニットを保持する器具本体と、を備える
照明器具。
【発明の詳細な説明】
【技術分野】
【０００１】
本発明は、光源ユニット及び照明器具に関し、更に詳しくは、実装基板、反射板及び取付部材を備える光源ユニット及びこの光源ユニットを備える照明器具に関する。
【背景技術】
【０００２】
従来例として、特許文献１記載の照明器具を例示する。この従来例は、光源ユニット及び器具本体を備え、光源ユニットは、実装基板、反射板及び取付部材を備えている。取付部材の前面側に実装基板及び反射板が設けられている。
【０００３】
実装基板は、取付部材の前面に取り付けられ、取付基板に実装されているＬＥＤは、光軸の向きが前方を向いている。
【先行技術文献】
【特許文献】
【０００４】
【特許文献１】特開２０１５−２２５８１６号公報
【発明の概要】
【発明が解決しようとする課題】
【０００５】
しかしながら、特許文献１記載の従来例では、取付部材の前面が前方を向く状態では、ＬＥＤが発する光が上方に向かうのを抑えにくい。
【０００６】
本開示は、光が上方に向かうのを抑えやすい光源ユニット及び照明器具を提供することを目的とする。
【課題を解決するための手段】
【０００７】
本開示に係る一形態の光源ユニットは、固体発光素子を有する実装基板と、反射板と、前記実装基板及び前記反射板が取り付けられる取付部材と、を備える。前記取付部材の中心を通る一軸線の長手方向の一方を前方とすると共に他方を後方とし、前後方向と直交する方向の一方を上方とすると共に他方を下方とし、前後方向及び上下方向と直交する方向を左右方向とする。前記取付部材の前面側に、前記実装基板が取り付けられる。前記反射板は、前記固体発光素子を起点として前方よりも上方側の領域に配置される、左右方向から見て下方を向く凹面からなる上反射面を有する。前記固体発光素子の光軸の向きが前方に対して下方に傾いている。
【０００８】
本開示に係る一形態の照明器具は、光源ユニットと、光源ユニットが取り付けられる器具本体と、を備える。
【発明の効果】
【０００９】
本開示の光源ユニット及び照明器具にあっては、光が上方に向かうのを抑えやすい。
【図面の簡単な説明】
【００１０】
【図１】図１は、本開示の一実施形態に係る照明装置の前斜め上方より見た斜視図である。
【図２】図２は、同上の照明装置（一部を除く）の前斜め上方より見た分解斜視図である。
【図３】図３は、同上の照明装置の取付板（取付部材）及びＬＥＤモジュールを含む部分の前斜め下方より見た分解斜視図である。
【図４】図４は、同上の取付板（取付部材）及びＬＥＤモジュールを含む部分の一部を分解した状態の側面図である。
【図５】図５は、同上の照明装置の取付枠（取付部材）及び放熱部材を含む部分の後斜め下方より見た分解斜視図である。
【図６】図６Ａは、同上の照明装置の反射ブロックの正面図である。図６Ｂは、同上の照明装置の反射ブロックの背面図である。
【図７】図７Ａは、同上の反射ブロックの側面図である。図７Ｂは、同上の反射ブロックの側断面図である。
【図８】図８は、同上の反射ブロック及びＬＥＤモジュールの要部の側断面図である。
【発明を実施するための形態】
【００１１】
本開示は、光源ユニット及び照明器具に関し、更に詳しくは、実装基板と放熱部材と取付部材とを備える光源ユニット及びこの光源ユニットを備える照明器具に関する。
【００１２】
以下、本開示に係る光源ユニット１０及び照明器具１の一実施形態について、図１〜図８に基いて説明する。図１に照明器具１の斜視図を示し、図２に照明器具１の一部を除く分解斜視図を示す。
【００１３】
まず、本実施形態の光源ユニット１０について説明する。光源ユニット１０は、図２に示すように、ＬＥＤモジュール２と、取付部材３と、放熱部材５と、反射板ブロック６と、カバーブロック７と、を備える。
【００１４】
ここで、光源ユニット１０及び照明器具１における上下方向、左右方向及び前後方向を規定する。図２に示すように、取付部材３の中心（特に図示せず）を通る一軸線の長手方向の一方を前方Ｆとすると共に、他方を後方Ｂとする。更に、前後方向と直交する方向の一方を上方Ｕとすると共に、他方を下方Ｄとする。更に、前後方向及び上下方向と直交する方向の一方を左方Ｌとすると共に、他方を右方Ｒとする。図２に示す上下方向、左右方向及び前後方向は、照明器具１の標準的な使用状態における上下方向、左右方向及び前後方向である。
【００１５】
ＬＥＤモジュール２は、図３に示すように、固体発光素子としてのＬＥＤ２１（light  Emitting Diode、発光ダイオード）と、実装基板２０とを有する。ＬＥＤ２１は、従来周知であるパッケージ型の白色ＬＥＤである。実装基板２０は、左右方向を長手方向とする矩形状のアルミニウムからなる基板で構成される。ＬＥＤ２１は、実装基板２０の前面に、左右方向に複数（図示例では６個）並べて実装される。ＬＥＤ２１の光軸の向き２３は、実装基板２０の前面の法線ベクトルの向きと一致する。ＬＥＤ２１は、光軸の向き２３に発せられる光の輝度が最も高く、発せられる光の向きが光軸の向き２３から傾くに従って、光の輝度が低下していく。
【００１６】
また、実装基板２０の前面に、２個のレセプタクルコネクタ２２が実装される。これら２つのレセプタクルコネクタ２２は、実装基板２０の前面に形成される配線用の導体（不図示）を介して、各ＬＥＤ２１の電極（カソード及びアノード）と接続される。実装基板２０は、取付部材３に取り付けられる。
【００１７】
図２に示すように、取付部材３は、取付枠３１と、取付枠３１の内部に固定される取付板３０と、を有する。
【００１８】
図５に示すように、取付枠３１は、アルミダイキャスト製品等、金属により形成されるが、ＰＢＴ（Polybutylene terephthalate）樹脂などの透光性を有しない合成樹脂材料により形成されてもよい。取付枠３１は、正面視矩形状をしており、内部に取付板３０が配置される開口３２を有する。取付枠３１は、上下方向の中央部に左右方向に掛け渡される横架橋部３３を有し、横架橋部３３の上側に上開口３２１が位置し、横架橋部３３の下側に下開口３２２が位置する。更に、取付枠３１は、上開口３２１の左右方向の中央部に上下方向に掛け渡される縦架橋部３４を有し、縦架橋部３４の左側に上左開口３２１１が位置し、縦架橋部３４の右側に上右開口３２１２が位置する。同様に、取付枠３１は、下開口３２２の左右方向の中央部に上下方向に掛け渡される縦架橋部３４を有し、縦架橋部３４の左側に下左開口３２２１が位置し、縦架橋部３４の右側に下右開口３２２２が位置する。上左開口３２１１、上右開口３２１２、下左開口３２２１及び下右開口３２２２は同じ大きさで、配置される取付板３０は同じであり、特に区別されない。図２は、上左開口３２１１に配置される取付板３０のみが取り外されている状態を示す。
【００１９】
図３に示すように、取付板３０は、アルミダイキャスト製品等、金属により形成されるが、ＰＢＴ樹脂などの透光性を有しない合成樹脂材料により形成されてもよい。取付板３０は、正面視矩形状をしている。取付板３０の前面は、前方Ｆを向いている。言い換えると、取付板３０の前面の法線ベクトルの向き３００は、前方Ｆ向きである。取付板３０には、前後に貫通するいわゆるばか孔からなる貫通孔３０１が複数（図示例では１０個）形成されている。取付板３０は、取付枠３１の上左開口３２１１に配置され、複数のビスからなる固着具３７１（図示例では１０個）がそれぞれ貫通孔３０１に通されて、取付枠３１に形成された雌ねじを有する固着孔（不図示）にねじ込まれる。これにより、取付板３０が、取付枠３１の上左開口３２１１に位置する状態で取付枠３１に取り付けられる。取付枠３１の上右開口３２１２、下左開口３２２１及び下右開口３２２２に位置する取付板３０も同様にして取り付けられる。
【００２０】
取付板３０（取付部材３）は、前面に、実装基板２０が取り付けられる台座部４を有する。台座部４は、取付板３０と一体に形成されている。取付枠３１、取付板３０及び台座部４が、取付部材３を構成している。取付板３０の前面（ただし台座部４が位置しない部分）が、取付部材３の前面を構成する。
【００２１】
光源ユニット１０は、複数の実装基板２０と、複数の実装基板２０にそれぞれ対応する複数の台座部４と、を備えている。更に説明すると、取付板３０（取付部材３）は、複数（図示例では５個）の台座部４を有している。複数の台座部４は、取付板３０の前面に上下に沿って並ぶように配置されている。
【００２２】
台座部４の前面は、実装基板２０の後面が取り付けられる基板取付面４０となる。基板取付面４０の形状は、実装基板２０の形状と概ね同じに形成されている。基板取付面４０の大きさは、実装基板２０の大きさよりも若干大きく形成されている。本実施形態では、実装基板２０は、押さえ部材３５及び熱伝導シート３６とともに台座部４に取り付けられる。
【００２３】
押さえ部材３５は、ＰＢＴ樹脂などの透光性を有しない合成樹脂材料により形成される、板状の部材である。押さえ部材３５の形状は、実装基板２０の形状と概ね同じに形成されている。押さえ部材３５の大きさは、実装基板２０の大きさよりも若干大きく、基板取付面４０の大きさと略同じに形成されている。押さえ部材３５には、実装基板２０の各ＬＥＤ２１に対応する位置にそれぞれ、ＬＥＤ２１が発する光を透過させる透過窓３５１が形成されている。押さえ部材３５には、透過窓３５１と異なる位置に、いわゆるばか孔からなり、複数（図示例では５個）のビスからなる固着具３７２がそれぞれ通される複数（図示例では５個）の貫通孔３５２が形成されている。
【００２４】
熱伝導シート３６は、電気絶縁性と熱伝導性に優れた材料（例えば、シリコーン樹脂）により形成される、板状の部材である。熱伝導シート３６の形状は、実装基板２０の形状と概ね同じに形成されている。熱伝導シート３６の大きさは、実装基板２０の大きさよりも若干大きく、基板取付面４０の大きさと略同じに形成されている。
【００２５】
実装基板２０及び熱伝導シート３６には、押さえ部材３５の貫通孔３５２に対応する位置にそれぞれ、固着具３７２を避けるための切欠２０１，３６１が形成されている。また、台座部４には、押さえ部材３５の貫通孔３５２に対応する位置にそれぞれ、固着具３７２がねじ込まれる雌ねじを有する固着孔４１が形成されている。
【００２６】
実装基板２０、押さえ部材３５及び熱伝導シート３６は、台座部４の基板取付面４０に近い側から熱伝導シート３６、実装基板２０及び押さえ部材３５の順に重ねられる。固着具３７２が、前方Ｆ側より押さえ部材３５の貫通孔３５２、実装基板２０の切欠２０１及び熱伝導シート３６の切欠３６１に通されて、台座部４の固着孔４１にねじ込まれて、実装基板２０、押さえ部材３５及び熱伝導シート３６が台座部４に取り付けられる。これにより、実装基板２０、熱伝導シート３６及び台座部４は熱的に連結される。
【００２７】
図４に示すように、基板取付面４０の法線ベクトルの向きを取付面向き４２としたとき、取付面向き４２は、前方Ｆに対して下方Ｄに角度θ１で傾いている。角度θ１は、少なくとも、０度より大きくかつ９０度より小さい。好ましくは、角度θ１は、３０度以上かつ６０度以下であり、図示例では４５度である。
【００２８】
台座部４の基板取付面４０に取り付けられている実装基板２０のＬＥＤ２１の光軸の向き２３が前方Ｆに対して下方Ｄに傾く角度θ２は、取付面向き４２が前方Ｆに対して下方Ｄに傾く角度θ１と同じである。従って、角度θ２は、角度θ１と同様に、少なくとも、０度より大きくかつ９０度より小さい。好ましくは、角度θ２は、３０度以上かつ６０度以下であり、図示例では４５度である。
【００２９】
本実施形態では、複数の台座部４の取付面向き４２の前方Ｆに対して傾く角度θ１は全て同じであるが、台座部４によって角度θ１が異なってもよい。また、ＬＥＤ２１の光軸の向き２３が前方Ｆに対して下方Ｄに傾く角度θ２は全て同じであるが、ＬＥＤ２１によって角度θ２が異なってもよい。
【００３０】
これにより、取付部材３の前面が前方Ｆを向いたままで、取付部材３が占める空間の前後方向の長さが短い状態のまま、光を斜め下方に効率良く照射することができる。
【００３１】
また、角度θ１及び角度θ２が３０度以上かつ６０度以下であるため、前方Ｆに対して下方Ｄに３０度以上かつ６０度以下の角度で傾く方向に光を効率良く照射することができる。
【００３２】
図５に示すように、放熱部材５は、取付部材３の後面に取り付けられる。放熱部材５は、取付基板５１、放熱板５３及びパイプ５５を有する。取付基板５１は、アルミニウムからなり、正面視矩形状をしている。取付基板５１には、複数の放熱板５３が取り付けられる。放熱板５３は、アルミニウムからなり、側面視矩形状をしている。放熱板５３は、取付基板５１に溶接により取り付けられる。また、取付基板５１及び放熱板５３には、冷却水を通すパイプ５５が通されている。パイプ５５は、取付基板５１に形成された溝５２に嵌まると共に、放熱板５３に形成された貫通孔５４を通る状態で、配置される。
【００３３】
放熱部材５は、押さえ枠１１により押さえられて、取付部材３に取り付けられる。押さえ枠１１は、合成樹脂からなり、正面視矩形状をしている。押さえ枠１１は、押さえ枠固定部材１２により押さえられて、取付部材３に取り付けられる。押さえ枠固定部材１２は、鋼板からなるが、他の金属、あるいは合成樹脂等からなるものであってもよい。押さえ枠固定部材１２は、貫通孔１２１を有している。また、取付枠３１の後面には、雌ねじを有する固着孔３１１が形成されている。
【００３４】
取付基板５１、押さえ枠１１及び押さえ枠固定部材１２は、この順で前方Ｆより後方Ｂに向けて重ねられる。ビスからなる固着具１３１が後方Ｂ側より押さえ枠固定部材１２の貫通孔１２１に通されて、取付枠３１の固着孔３１１にねじ込まれて、放熱部材５が取付部材３に取り付けられる。これにより、放熱部材５及び取付部材３は熱的に連結される。
【００３５】
反射板ブロック６は、図６Ａ〜図７Ｂに示すように、合成樹脂からなり、枠部６０及び反射板６１を有する。反射板６１のうちの上反射板６１１は、図８に示すように、ＬＥＤ２１を起点として前方Ｆよりも上方Ｕ側の領域に配置され、この領域を覆う。上反射板６１１は、左右方向から見て下方Ｄを向く凹面からなる上反射面６２を有する。上反射面６２は鏡面である。このような上反射面６２を有する上反射板６１１が配置されることにより、ＬＥＤ２１から発せられた光が前方Ｆよりも上方Ｕ側に向かうのが抑えられる。
【００３６】
本実施形態では、ＬＥＤ２１を起点として上反射面６２の前方Ｆ側の端部に至る向きは、前方Ｆに対して下方Ｄに角度θ３で傾いている。このため、ＬＥＤ２１から発せられた光は、前方Ｆに対して下方Ｄに角度θ３の向きよりも上方Ｕ側に向かうのが抑えられる。角度θ３は、０度以上でかつ４５度以下である。好ましくは、角度θ３は、１０度である。
【００３７】
また、上反射面６２の前方Ｆ側の端部における上反射面６２に沿う向きは、前方Ｆに対して下方Ｄに角度θ５で傾いている。角度θ５は、３０度以上でかつ４０度以下で、好ましくは３４．２度である。
【００３８】
また、反射板６１のうちの下反射板６１２は、図８に示すように、ＬＥＤ２１を起点として前方Ｆよりも下方Ｄ側の領域に配置され、この領域を覆う。下反射板６１２は、複数のＬＥＤ２１毎に、ＬＥＤ２１を起点として前方Ｆよりも下方Ｄ側の領域に配置される下反射面６３を有する。下反射面６３は鏡面である。下反射面６３は、図６Ａに示すように、ＬＥＤ２１毎に、前後方向から見て上方Ｕを向く凹面からなる。本実施形態では、ＬＥＤ２１を起点として下反射面６３の前方Ｆ側の端部に至る向きは、前方Ｆに対して下方Ｄに角度θ４（図８参照）で傾いている。角度θ４は角度θ３より大きい。角度θ４は、３０度以上でかつ９０度以下である。好ましくは、角度θ４は、３４度である。
【００３９】
このような下反射面６３により、ＬＥＤ２１から発せられた光は、前方Ｆに対して下方Ｄに角度θ４の向きよりも下方Ｄ側に向かうのが抑えられる。これにより、少なくとも直接ＬＥＤ２１から発せられた光は、前方Ｆに対して下方Ｄに傾く角度θ４と角度θ３との間の角度で（例えば１０度以上でかつ３４度以下の角度で）照射される。
【００４０】
また、ＬＥＤ２１から前方Ｆに対して下方Ｄに角度θ３の向きよりも上方Ｕ側に向かうように発せられた光は、上反射面６２で反射して下方Ｄに向かうため、無駄にならずロスが生じにくい。
【００４１】
また、反射板６１は、隣接するＬＥＤ２１の間に仕切壁６４を有する。仕切壁６４は、下反射板６１２から上方に向けて起立しており、下反射面６３とつながっている。仕切壁６４の左右方向における側面６４１は、下反射面６３となる凹面と滑らかにつながる凹面を有する。すなわち、下反射面６３は、前後方向から見て上方Ｕを向く凹面からなり、側面６４１は下反射面６３の凹面に滑らかに（尖った部分がなく）つながり、上方Ｕ及び前後方向から見て左右方向における内方を向く凹面からなる。
【００４２】
反射板６１が仕切壁６４を有することにより、ＬＥＤ２１から発せられ、前方Ｆに対して左右方向の外側に傾いた方向に向かう光が、仕切壁６４で、左右方向において前方Ｆに近い方を向くように内側に反射される。これにより、ＬＥＤ２１から発せられた光がより多く光軸の向き２３に近い向きに照射される。
【００４３】
また、仕切壁６４が下反射面６３とつながっているため、ＬＥＤ２１から発せられた光が仕切壁６４と下反射面６３との間から漏れることがなく、光の照射の効率が低下するのを抑えることができる。
【００４４】
また、側面６４１が下反射面６３となる凹面と滑らかにつながる凹面を有するため、側面６４１で反射された光が、下反射面６３で反射された光と滑らかにつながり、光の分布の変化が滑らかとなる。
【００４５】
また、上反射面６２が左右方向から見て下方Ｄを向く凹面からなるため、ＬＥＤ２１から発せられ上反射面６２で反射した光は、大きく下方Ｄに向かうのが抑えられ、前方Ｆに対して下方Ｄに傾く角度θ４と角度θ３との間の角度で照射されやすくなる。
【００４６】
また、ＬＥＤ２１から前方Ｆに対して下方Ｄに角度θ４の向きよりも下方Ｄ側に向かうように発せられた光は、下反射面６３で反射して上方Ｕに向かうため、無駄にならずロスが生じにくい。また、下反射面６３が、ＬＥＤ２１毎に、前後方向から見て上方Ｕを向く凹面からなるため、ＬＥＤ２１から発せられ、前方Ｆに対して左右方向に傾いた方向に向かう光が、下反射面６３で、左右方向において前方Ｆに近づくように反射される。
【００４７】
枠部６０は、図６Ａに示すように、各ＬＥＤモジュール２毎に配置される上反射板６１１及び下反射板６１２をまとめてユニット化している。枠部６０には、ビスからなる固着具１３２（図２参照）が通される切欠６０１が形成されている。
【００４８】
反射板ブロック６は、図２に示すように、取付板１４及びブラケット１５を介して取付枠３１（取付部材３）に取り付けられる。取付板１４は、合成樹脂からなり、固着具１３２が通される貫通孔１４１を有している。ブラケット１５は、固着具１３２が通される貫通孔を有する前片１５１と、ビスからなる固着具１３３が通される貫通孔を有する後片１５３と、前片１５１と後片１５３とを連結する中片１５２と、を有する。
【００４９】
固着具１３３が前方Ｆ側より後片１５３の貫通孔に通されて、取付枠３１の前面に形成された固着孔にねじ込まれて、ブラケット１５が取付部材３に取り付けられる。枠部６０及び取付板１４は、この順で前方Ｆより後方Ｂに向けて重ねられる。固着具１３２が前方Ｆ側より枠部６０の切欠６０１及び取付板１４の貫通孔１４１に通されて、取付枠３１の固着孔にねじ込まれて、反射板ブロック６が取付部材３に取り付けられる。
【００５０】
図２に示すように、カバーブロック７は、取付部材３の前面に取り付けられる。カバーブロック７は、カバー７１と、パッキン７３と、押さえ枠７５と、を有する。カバー７１は、透光性を有する合成樹脂により形成される、正面視矩形状をしたものである。カバー７１のフランジには、ビスからなる固着具７７が通される切欠７２が形成される。パッキン７３は、枠状をしており、カバー７１のフランジと同様の正面視矩形状をしたものである。パッキン７３には、固着具７７が通される切欠７４が形成される。押さえ枠７５は、枠状をしており、カバー７１のフランジ及びパッキン７３と同様の正面視矩形状をしたものである。押さえ枠７５には、固着具７７が通される貫通孔７６が形成される。また、取付枠３１の前面には、雌ねじを有する固着孔３１２が形成されている。
【００５１】
押さえ枠７５、パッキン７３及びカバー７１のフランジは、この順で前方Ｆより後方Ｂに向けて重ねられる。固着具７７が、前方Ｆ側より押さえ枠７５の貫通孔７６、パッキン７３の切欠７４及びカバー７１の切欠７２に通されて、取付枠３１の固着孔３１２にねじ込まれて、カバーブロック７が取付部材３に取り付けられる。
【００５２】
図１に示すように、照明器具１は、光源ユニット１０（図２参照）と、光源ユニット１０が取り付けられる器具本体１６と、を備える。器具本体１６は、配線ボックス１７を及び放熱部材５に接触するのを抑える網状部１８を有する。更に、照明器具１は、照明器具１が取り付けられる壁面等に取り付けられるアーム１９を有する。アーム１９により、壁面等に対する取付部材３の向きが可変となる。
【００５３】
次に、上記実施形態の変形例について説明する。
【００５４】
上記実施形態では、光源ユニット１０は、放熱部材５及びカバーブロック７を備えていたが、これらを備えなくてもよい。
【００５５】
上記実施形態で規定した上下方向、左右方向及び前後方向は、照明器具１の実際の使用状態における上下方向、左右方向及び前後方向と一致する必要はなく、説明のために便宜上規定した方向である。
【００５６】
上記実施形態では、取付枠３１、取付板３０及び台座部４が取付部材３を構成していたが、取付部材３はこれら以外の構成を備えてもよいし、取付枠３１等の構成を備えなくてもよい。台座部４は、取付板３０と一体に形成されず、別体に形成された後、取付板３０に一体的に取り付けられてもよい。
【００５７】
上記実施形態では、光源ユニット１０は、複数の実装基板２０及び台座部４を備えているが、実装基板２０と台座部４とをそれぞれ一個のみ備えてもよい。
【００５８】
上記実施形態では、透過窓３５１は、押さえ部材３５の実装基板２０の各ＬＥＤ２１に一対一で対応するようにそれぞれ形成されているが、複数のＬＥＤ２１に対応して一個の透過窓３５１が形成されてもよい。
【００５９】
上記実施形態では、取付面向き４２が前方Ｆに対して傾く角度θ１及び光軸の向き２３が前方Ｆに対して下方Ｄに傾く角度θ２は、３０度以上かつ６０度以下（特に４５度）であったが、この範囲になくてもよい。すなわち、角度θ１は、０度より大きくかつ３０度より小さい角度、又は、６０度より大きくかつ９０度より小さい角度であってもよい。
【００６０】
上記実施形態では、反射板ブロック６は合成樹脂からなるものであったが、アルミダイキャスト製品等、金属により形成されてもよい。
【００６１】
以上、述べた上記実施形態及びその変形例から明らかなように、第１の態様の光源ユニット１０は、ＬＥＤ２１を有する実装基板２０と、反射板６１と、実装基板２０及び反射板６１と、が取り付けられる取付部材３と、を備える。取付部材３の中心を通る一軸線の長手方向の一方を前方Ｆとすると共に他方を後方Ｂとし、前後方向と直交する方向の一方を上方Ｕとすると共に他方を下方Ｄとし、前後方向及び上下方向と直交する方向を左右方向とする。取付部材３の前面に、実装基板２０が取り付けられる。反射板６１は、ＬＥＤ２１を起点として前方Ｆよりも上方Ｕ側の領域に配置される、左右方向から見て下方を向く凹面からなる上反射面６２を有する。ＬＥＤ２１の光軸の向き２３が前方に対して下方に傾いている。
【００６２】
第１の態様によれば、光が上方Ｕに向かうのが抑えられる。
【００６３】
第２の態様では、第１の態様との組み合わせにより実現される。第２の態様では、反射板６１は、複数のＬＥＤ２１毎に、ＬＥＤ２１を起点として前方Ｆよりも下方Ｄ側の領域に配置される、前後方向から見て上方を向く凹面からなる下反射面６３を有する。
【００６４】
第２の態様によれば、ＬＥＤ２１から発せられた光は、前方Ｆに対して下方Ｄに角度θ４の向きよりも下方Ｄ側に向かうのが抑えられる。
【００６５】
第３の態様では、第２の態様との組み合わせにより実現される。第３の態様では、反射板６１は、隣接するＬＥＤ２１の間に仕切壁６４を有する。
【００６６】
第３の態様によれば、ＬＥＤ２１から発せられ、前方Ｆに対して左右方向の外側に傾いた方向に向かう光が、仕切壁６４で、左右方向において前方Ｆに近い方を向くように内側に反射される。
【００６７】
第４の態様では、第３の態様との組み合わせにより実現される。第４の態様では、仕切壁６４は、下反射面６３とつながっている。
【００６８】
第４の態様によれば、ＬＥＤ２１から発せられた光が仕切壁６４と下反射面６３との間から漏れることがない。
【００６９】
第５の態様では、第４の態様との組み合わせにより実現される。第５の態様では、仕切壁６４の左右方向における側面６４１は、下反射面６３となる凹面と滑らかにつながる凹面を有する。
【００７０】
第５の態様によれば、側面６４１で反射された光が、下反射面６３で反射された光と滑らかにつながる。
【００７１】
第６の態様では、第１〜５のいずれかの態様との組み合わせにより実現される。第６の態様では、光軸の向き２３が前方Ｆに対して傾く角度は、３０度以上６０度以下である。
【００７２】
第６の態様によれば、前方Ｆに対して下方Ｄに３０度以上かつ６０度以下の角度で傾く方向に光を効率良く照射することができる。
【００７３】
第７の態様では、第１〜６のいずれかの態様との組み合わせにより実現される。第７の態様では、上反射面６２は鏡面である。
【００７４】
第７の態様によれば、効率良く光を反射させることができる。
【００７５】
第８の態様では、第１〜７のいずれかの態様との組み合わせにより実現される。第８の態様では、照明器具１は、光源ユニット１０と、光源ユニット１０が取り付けられる器具本体１６と、を備える。
【００７６】
第８の態様によれば、照明器具１の取付部材３の前面が前方Ｆを向いたままで、取付部材３が占める空間の前後方向の長さが短い状態のまま、光を斜め下方に効率良く照射することができる。
【符号の説明】
【００７７】
１    照明器具
１０  光源ユニット
１６  器具本体
２０  実装基板
２１  ＬＥＤ
３    取付部材
６１  反射板
６２  上反射面
６３  下反射面
Ｂ    後方
Ｄ    下方
Ｆ    前方
Ｕ    上方
【図１】
2020057477.tif 000003
【図２】
2020057477.tif 000004
【図３】
2020057477.tif 000005
【図４】
2020057477.tif 000006
【図５】
2020057477.tif 000007
【図６】
2020057477.tif 000008
【図７】
2020057477.tif 000009
【図８】
2020057477.tif 000010